(57)【要約】  少なくとも１つのカーカスプライ（１０１）を含む実質的にトロイダル形状のカーカス構造であって、対向する横方向縁部がそれぞれ右手側および左手側のビード構造に結合されている、カーカス構造と；前記カーカス構造に対して径方向外側に配置されたベルト構造（１０５）と；前記ベルト構造に対して径方向外側に配置されたトレッドバンドと；前記カーカス構造に対して横方向に対向する側に各々が配置された２つの側壁と；を含むタイヤ（１００）であって、前記ベルト構造は：前記タイヤの赤道面に対して実質的に対称的に配列されるとともに前記タイヤベルト構造の軸方向外側部分に対応して配置された少なくとも１対の側部補強層（１０５ｅ）であって、前記側部補強層には、実質的に周方向に配向された補強要素が設けられている、側部補強層と；前記少なくとも１対の側部補強層（１０５ｅ）に対して径方向外側に配置された第１のベルト層（１０５ａ）であって、前記第１のベルト層（１０５ａ）には、互いに平行であるとともに前記タイヤの赤道面に対して傾斜した補強要素が設けられている、第１のベルト層と；を含む、タイヤ。
2010530831.tif 000002
【特許請求の範囲】
【請求項１】
−少なくとも１つのカーカスプライを含む実質的にトロイダル形状のカーカス構造であって、対向する横方向縁部がそれぞれ右手側および左手側のビード構造に結合されている、カーカス構造と；
−前記カーカス構造に対して径方向外側に配置されたベルト構造と；
−前記ベルト構造に対して径方向外側に配置されたトレッドバンドと；
−前記カーカス構造に対して横方向に対向する側に各々が配置された２つの側壁と；を含むタイヤであって、
前記ベルト構造は：
−前記タイヤの赤道面に対して実質的に対称的に配列されるとともに、前記タイヤベルト構造の軸方向外側部分に対応して配置された少なくとも１対の側部補強層であって、前記側部補強層には、実質的に周方向に配向された補強要素が設けられている、側部補強層と；
−前記少なくとも１対の側部補強層に対して径方向外側に配置された第１のベルト層であって、前記第１のベルト層には、互いに平行であるとともに前記タイヤの赤道面に対して傾斜した補強要素が設けられている、第１のベルト層と；
−前記第１のベルト層に対して径方向外側に配置された少なくとも１つの追加補強層であって、前記追加補強層には、実質的に周方向に配向された補強要素が設けられている、追加補強層と；
−前記少なくとも１つの補強層に対して径方向外側に配置された第２のベルト層であって、前記第２のベルト層には、互いに平行であるとともに前記タイヤの赤道面に対して前記第１のベルト層の補強要素とは反対の方向に傾斜した補強要素が設けられている、第２のベルト層と；を含む、タイヤ。
【請求項２】
前記ベルト構造は、さらに、前記第１および前記第２のベルト層に対して径方向外側に配置された外側ベルト層を含み、前記外側ベルト層には、互いに平行な補強要素が設けられている、請求項１に記載のタイヤ。
【請求項３】
前記側部補強層の各々は、ベルト構造の軸方向幅に対して４０％以下の軸方向幅を有し、前記軸方向幅は、より幅の広い方のベルト層の軸方向幅に対応している、請求項１または２に記載のタイヤ。
【請求項４】
前記側部補強層の各々は、ベルト構造の軸方向幅に対して５％〜３０％の軸方向幅を有し、前記軸方向幅は、より幅の広い方のベルト層の軸方向幅に対応している、請求項３に記載のタイヤ。
【請求項５】
前記側部補強層の各々は、ベルト構造の軸方向幅に対して１０％〜２５％の軸方向幅を有し、前記軸方向幅は、より幅の広い方のベルト層の軸方向幅に対応している、請求項４に記載のタイヤ。
【請求項６】
前記側部補強層は、前記カーカス構造と直接接触するように位置決めされている、請求項１〜５のいずれか一項に記載のタイヤ。
【請求項７】
前記ベルト構造と前記カーカス構造との間に、少なくとも１つのベルト下層が位置決めされている、請求項１〜５のいずれか一項に記載のタイヤ。
【請求項８】
前記側部補強層の軸方向外側縁部は、前記第１のベルト層の対応する軸方向外側縁部に対して軸方向内方にずらされている、請求項１〜７のいずれか一項に記載のタイヤ。
【請求項９】
前記第１のベルト層は、前記少なくとも１対の側部補強層と直接接触するように位置決めされている、請求項１〜８のいずれか一項に記載のタイヤ。
【請求項１０】
前記第１のベルト層の軸方向外側縁部は、前記第２のベルト層の対応する軸方向外側縁部に対して軸方向内方にずらされている、請求項１〜９のいずれか一項に記載のタイヤ。
【請求項１１】
前記第１のベルト層および前記第２のベルト層の補強要素は、前記タイヤの赤道面に対して１０°〜４０°の角度で傾斜している、請求項１〜１０のいずれか一項に記載のタイヤ。
【請求項１２】
前記追加補強層の軸方向外側縁部は、前記第１のベルト層の対応する外側縁部に対して軸方向内方にずらされている、請求項１〜１１のいずれか一項に記載のタイヤ。
【請求項１３】
前記追加補強層の軸方向外側縁部は、前記第２のベルト層の対応する外側縁部に対して軸方向内方にずらされている、請求項１〜１２のいずれか一項に記載のタイヤ。
【請求項１４】
前記追加補強層の軸方向外側縁部は、前記側部補強層の軸方向外側縁部に対応している、請求項１〜１３のいずれか一項に記載のタイヤ。
【請求項１５】
前記少なくとも１つの追加補強層の軸方向外側縁部は、前記第１および前記第２のベルト層の前記少なくとも一方の軸方向外側縁部に対応している、請求項１〜１１のいずれか一項に記載のタイヤ。
【請求項１６】
前記側部補強層および前記追加補強層の両方は、少なくとも１つの予備形成された基本金属ワイヤを含む、請求項１〜１５のいずれか一項に記載のタイヤ。
【請求項１７】
前記外側ベルト層の軸方向外側縁部は、前記第２のベルト層の対応する軸方向外側縁部に対して軸方向内方にずらされている、請求項１〜１６のいずれか一項に記載のタイヤ。
【請求項１８】
前記外側ベルト層の軸方向外側縁部は、前記側部補強層の軸方向内側縁部に対して軸方向外方に位置する、請求項１〜１７のいずれか一項に記載のタイヤ。
【請求項１９】
前記外側ベルト層の軸方向外側縁部は、前記追加補強層の軸方向内側縁部に対して軸方向内方に位置する、請求項１〜１８のいずれか一項に記載のタイヤ。
【請求項２０】
前記外側ベルト層の軸方向外側縁部は、前記側部補強層の軸方向外側縁部に対応している、請求項１〜１７のいずれか一項に記載のタイヤ。
【請求項２１】
前記外側ベルト層の軸方向外側縁部は、前記追加補強層の軸方向外側縁部に対応している、請求項１〜１８のいずれか一項に記載のタイヤ。
【請求項２２】
前記外側ベルト層の補強要素は、前記タイヤの赤道面に対して傾斜している、請求項１〜２１のいずれか一項に記載のタイヤ。
【請求項２３】
前記外側ベルト層の補強要素は、前記第１のベルト層の補強要素と同じ方向に傾斜している、請求項２２に記載のタイヤ。
【請求項２４】
前記外側ベルト層の補強要素は、前記第２のベルト層の補強要素と同じ方向に傾斜している、請求項２２に記載のタイヤ。
【請求項２５】
前記ベルト構造は、さらに、前記第２のベルト層に対して径方向外側に配置された追加ベルト層を含み、前記追加ベルト層には、互いに平行に配列されるとともに前記タイヤの赤道面に対して傾斜した補強要素が設けられている、請求項１〜２４のいずれか一項に記載のタイヤ。
【請求項２６】
前記追加ベルト層の補強要素は、前記タイヤの赤道面に対して前記第２のベルト層の補強要素とは反対の方向に傾斜している、請求項２５に記載のタイヤ。
【請求項２７】
前記追加ベルト層は、前記第２のベルト層と直接接触するように位置決めされている、請求項２５または２６に記載のタイヤ。
【請求項２８】
前記追加ベルト層の軸方向外側縁部は、前記第２のベルト層の対応する軸方向外側縁部に対して軸方向内方にずらされている、請求項２５〜２７のいずれか一項に記載のタイヤ。
【請求項２９】
重荷重車両用タイヤである、請求項１〜２８のいずれか一項に記載のタイヤ。
【発明の詳細な説明】
【技術分野】
【０００１】
発明の分野
本発明は、重荷重車両用タイヤに関する。
【０００２】
より詳細には、本発明は、改良されたベルト構造を含む重荷重車両用タイヤに関する。
【背景技術】
【０００３】
知られているように、タイヤは、通常、対向する横方向縁部がそれぞれ右手側および左手側のビード構造に結合された実質的にトロイダル形状のカーカス構造と；前記カーカス構造に対して径方向外側に配置されたベルト構造と；前記ベルト構造に対して径方向外側に配置されたトレッドバンドと；前記カーカス構造に対して横方向に対向する側に配置された１対の側壁と；を含む。
【０００４】
ベルト構造が、タイヤの性能（例えば、操舵に対する即座の応答および方向安定性）とその耐用年数（特に、トレッドバンドの摩耗の速度および均一性）との両方に対して重要な影響を及ぼし得ることは周知である。例えば、トレッドバンドが不均一に摩耗すると、タイヤの駆動挙動に悪影響を及ぼし、振動が生じるとともに車両がその軌道から常に逸脱した状態になる。
【０００５】
上記の問題を解決する試みが、当該分野において既に行われている。
【０００６】
例えば、米国特許第５，７７２，８１０号は、クラウン補強材がその上に配置されたラジアルカーカス補強材を含むタイヤであって、クラウン補強材は、径方向内側から外側にかけて、周方向に対して６０°〜９０°の角度をなす非伸長性の金属ワイヤまたはケーブルで形成された少なくとも１つの三角プライと、互いに交差して周方向に対して１０°〜４５°の角度をなす非伸長性の金属ワイヤまたはケーブルで形成された２つの作用プライとで形成されている、タイヤであって、径方向最外側の三角プライの径方向外側に隣接する第１の作用プライは、前記三角プライの幅よりも小さい幅を有し、第１の作用プライの径方向上方に位置する第２の作用プライは、三角プライの幅よりも大きい軸方向幅を有し、前記第２の作用プライの縁部は前記三角プライの縁部を、前記縁部における２つのプライのそれぞれのワイヤまたはケーブル間の径方向距離が三角プライの軸方向幅の少なくとも２％に等しい軸方向距離にわたり最大で１.５ｍｍに等しくなるように、覆っていることを特徴とする、タイヤに関する。前記タイヤの変形例が開示されており、かかる変形例は、実質的に周方向に配向された金属要素を含む追加プライをさらに含み、前記追加プライは、第１の作用プライの幅よりも小さい軸方向幅を有するとともに、径方向において２つの作用プライの間に配置されている。上述のタイヤは、重荷重車両に対して特に有用であり、クラウン補強材が改良され、耐用寿命が向上している、といわれる。
【０００７】
米国特許第６，６５９，１４７号は、ラジアルカーカス補強材を有するタイヤであって、周方向に対して１０°〜６０°の反対の等しい角度をなすことにより互いに交差する非伸長性のワイヤ補強要素で構成された少なくとも２つの作用クラウンプライと、軸方向に連続する追加プライとを含むクラウン補強材を有し、追加プライは、少なくとも２つの作用クラウンプライのうちの径方向に隣接するものの間に配置されるとともに、作用プライのうちの径方向に隣接するものの補強要素よりも直径が大きくカーカス補強材の最大軸方向幅の少なくとも５０％に等しい軸方向幅を有するワイヤ補強要素で構成されている、タイヤであって、追加プライの補強要素は、鋼製でプライの平面において波形をなし、波形は、互いに平行であり、同相であり（in phase）、周方向に対して平行に配向され、波形要素の波長に対する振幅の比は、前記追加プライの中心から縁部まで軸方向に減少し、前記縁部において最小に達することを特徴とする、タイヤに関する。上述のタイヤは、カーカス補強材とクラウン補強材との分離に対する抵抗、作用クラウンプライ間の分離に対する抵抗、および追加プライの周方向に配向されたコードの疲労強度の観点から、重荷重車両に対して特に有用であり、クラウン補強材の耐久性が向上している、といわれる。
【０００８】
米国特許第６，６１９，３５７号は、少なくとも１対の平行環状ビードと、前記ビードを包み込む少なくとも１つのカーカスプライと、鋼コードで補強され互いに隣接する複数の接合されたベルトプライ（adjacent spliced belt plies reinforced with steel cords）、及び真直な高伸長性の鋼コードで補強され、前記タイヤのクラウン領域内で前記少なくとも１つのカーカスプライの上方に配置された、螺旋状に巻かれた少なくとも１つのベルトプライを含むクラウン補強構造と、前記クラウン補強構造の上方に配置されたトレッドと、前記トレッドと前記ビードとの間に配置されたサイドウォールと、を含む空気入りスーパーシングルラジアルトラックタイヤであって、前記螺旋状に巻かれた少なくとも１つのベルトプライは、少なくとも１つのカーカスプライと、径方向最内側の接合されたベルトプライとの間に配置されていることを特徴とする、空気入りスーパーシングルラジアルトラックタイヤに関する。上述のタイヤには以下の特長があるといわれる：
−クラウン領域の耐久性の向上；
−接地形状および接地圧分布の改善；
−優れた高速特性および摩耗特性の向上；
−操縦性と耐久性とのトレードオフの最適化。
【０００９】
米国特許第６，０８２，４２６号は、互いに交差して周方向に対して１０°〜４５°の角度をなす、非伸縮性のケーブルで構成された少なくとも２つの作用クラウンプライを含むクラウン補強材を有する、ラジアルカーカス補強材を有するタイヤであって、周方向に対して４５°よりも大きい角度をなす非伸縮性のケーブルで形成された如何なるプライも存在しない状態で、周方向に対して実質的に平行に配向された金属要素で形成された軸方向に連続する追加プライが、径方向において前記少なくとも２つの作用プライの間に配置され、前記軸方向に連続する追加プライは、最も幅の広い作用クラウンプライの軸方向幅の少なくとも１．０５倍に等しい軸方向幅を有することを特徴とする、タイヤに関する。上述のタイヤは、特に作用クラウンプライの端部において、動作温度の低下を示す、といわれる。
【発明の概要】
【発明が解決しようとする課題】
【００１０】
発明の概要
出願人は、タイヤの使用中に時々、ベルト構造とカーカスとの間、およびより詳細にはベルト構造の層の間に生じる応力が原因で、ベルト構造の層が互いに、およびカーカスから、早期に危険なほどに分離し、その結果、タイヤが使用できなくなることがある、ということに気付いた。その上、出願人は、特にタイヤのショルダー領域（通常、アスファルト上で連続的な微小滑り（microsliding）が生じる）において、早期に摩耗が生じ、トレッドバンドが不均一に摩耗することがある、ということに気付いた。さらに、出願人は、特に駆動位置で使用されるタイヤの場合、各ブロックにおいて（特にトレッドバンドの転がり面上に設けられたブロックの中心と縁部との間において）不規則な摩耗が生じることもある、ということに気付いた。その上、出願人は、タイヤ性能（例えば駆動挙動、操舵安定性、直進性、横方向安定性、操縦性、乗り心地等）が悪影響を受けることがある、ということに気付いた。
【００１１】
出願人は、タイヤ性能の向上に加え、ベルト構造の構造的完全性（structual integrity）の向上とトレッドバンドの摩耗均一性の向上との両方を実現するタイヤ、好ましくは重荷重車両用タイヤを提供するという課題に直面した。
【課題を解決するための手段】
【００１２】
出願人は、上記の特性を有するタイヤは、タイヤの赤道面に対して実質的に対称的に配列されるとともに、タイヤベルト構造の軸方向外側部分に対応して配置された少なくとも１対の側部補強層（lateral reinforcing layers）であって、前記側部補強層は、実質的に周方向に配向された補強要素を組み込むとともに、少なくとも２つの交差したベルト層と前記２つの交差したベルト層の間に位置決めされた少なくとも１つの追加補強層との下方に位置決めされ、前記少なくとも１つの追加補強層は、実質的に周方向に配向された補強要素が設けられている、一対の側部補強層の両方を配置することにより得られる、ということを見出した。
【００１３】
そのようにして得られるタイヤは、タイヤ性能の向上（特に、直進性および横方向安定性の向上）に加え、ベルト構造の構造的完全性の向上とトレッドバンドの摩耗均一性の向上を示す。さらに、前記タイヤは、接地形状および接地圧分布の両方の向上を示す。その上、前記タイヤには、使用中の荷重負担能力が向上するという特長がある。さらに、前記タイヤは、操縦性と耐久性との良好なバランスを示す。その上、前記タイヤは、２回以上のリトレッドが可能であるため、全保有トラック（the truck fleets）の維持費を削減することができる。
【００１４】
第１の態様によれば、本発明はタイヤに関し、当該タイヤは：
−少なくとも１つのカーカスプライを含む実質的にトロイダル形状のカーカス構造であって、対向する横方向縁部がそれぞれ右手側および左手側のビード構造に結合されている、カーカス構造と；
−前記カーカス構造に対して径方向外側に配置されたベルト構造と；
−前記ベルト構造に対して径方向外側に配置されたトレッドバンドと；
−前記カーカス構造に対して横方向に対向する側に各々が配置された２つの側壁と；を含み、
前記ベルト構造は：
−前記タイヤの赤道面に対して実質的に対称的に配列されるとともに、前記タイヤベルト構造の軸方向外側部分に対応して配置された少なくとも１対の側部補強層であって、前記側部補強層には、実質的に周方向に配向された補強要素が設けられている、側部補強層と；
−前記少なくとも１対の側部補強層に対して径方向外側に配置された第１のベルト層であって、前記第１のベルト層には、互いに平行であるとともに前記タイヤの赤道面に対して傾斜した補強要素が設けられている、第１のベルト層と；
−前記第１のベルト層に対して径方向外側に配置された少なくとも１つの追加補強層であって、前記追加補強層には、実質的に周方向に配向された補強要素が設けられている、追加補強層と；
−前記少なくとも１つの追加補強層に対して径方向外側に配置された第２のベルト層であって、前記第２のベルト層には、互いに平行であるとともに前記タイヤの赤道面に対して前記第１のベルト層の補強要素とは反対の方向に傾斜した補強要素が設けられている、第２のベルト層と；を含む。
【００１５】
１つの好適な実施形態によれば、前記ベルト構造は、さらに、前記第１および前記第２のベルト層に対して径方向外側に配置された外側ベルト層を含み、前記外側ベルト層には、互いに平行な補強要素が設けられている。
【００１６】
１つの好適な実施形態によれば、前記タイヤは重荷重車両用タイヤである。
【００１７】
本説明および後続の請求項において、「重荷重車両用タイヤ」との表現は、ＥＣＥ車両構造に関する統合決議（Ｒ．Ｅ．３）の附則７「動力駆動車両およびトレーラの分類および定義」によるＭ２〜Ｍ３、Ｎ２〜Ｎ３、およびＯ２〜Ｏ４カテゴリの車両、例えばトラック、トラクタトレーラ、ローリー、バス、大型バン、および他の同様の車両などを意味する。
【００１８】
本発明は、上記態様において、以下で説明する好適な特徴の１つ以上を示してもよい。
【００１９】
１つの好適な実施形態によれば、前記側部補強層の各々は、ベルト構造の軸方向幅に対して４０％以下、より好ましくは５％〜３０％、さらに好ましくは１０％〜２５％の軸方向幅を有し、前記軸方向幅は、より幅の広い方のベルト層の軸方向幅に対応している。これにより、使用中のタイヤの荷重負担能力が向上するだけでなく、トレッドバンドの不均一な摩耗が回避される。
【００２０】
さらなる好適な実施形態によれば、前記側部補強層は、前記カーカス構造と直接接触するように位置決めされている。
【００２１】
さらなる好適な実施形態によれば、前記ベルト構造と前記カーカス構造との間に、少なくとも１つのベルト下層が位置決めされている。
【００２２】
さらなる好適な実施形態によれば、前記側部補強層の軸方向外側縁部は、前記第１のベルト層の対応する軸方向外側縁部に対して軸方向内方にずらされている。
【００２３】
１つの好適な実施形態によれば、前記第１のベルト層は、前記少なくとも１対の側部補強層と直接接触するように位置決めされている。
【００２４】
さらなる好適な実施形態によれば、前記第１のベルト層の軸方向外側縁部は、前記第２のベルト層の対応する軸方向外側縁部に対して軸方向内方にずらされている。これにより、ベルト構造の構造的完全性が向上する。
【００２５】
１つの好適な実施形態によれば、前記追加補強層の軸方向外側縁部は、前記第１のベルト層の対応する外側縁部に対して軸方向内方にずらされている。これにより、ベルト構造の構造的完全性が向上する。
【００２６】
さらなる好適な実施形態によれば、前記追加補強層の軸方向外側縁部は、前記第２のベルト層の対応する外側縁部に対して軸方向内方にずらされている。これにより、ベルト構造の構造的完全性が向上する。
【００２７】
さらなる好適な実施形態によれば、前記追加補強層の軸方向外側縁部は、前記側部補強層の軸方向外側縁部に対応している。
【００２８】
代替の実施形態において、前記追加補強層の軸方向外側縁部は、前記第１および前記第２のベルト層の前記少なくとも一方の軸方向外側縁部に対応している。
【００２９】
１つの好適な実施形態によれば、前記外側ベルト層の軸方向外側縁部は、前記第２のベルト層の対応する軸方向外側縁部に対して軸方向内方にずらされている。
【００３０】
さらなる好適な実施形態によれば、前記外側ベルト層の軸方向外側縁部は、前記側部補強層の軸方向内側縁部に対して軸方向外方に位置する。
【００３１】
さらなる好適な実施形態によれば、前記外側ベルト層の軸方向外側縁部は、前記追加補強層の軸方向内側縁部に対して軸方向内方に位置する。
【００３２】
さらなる好適な実施形態によれば、前記外側ベルト層の軸方向外側縁部は、前記側部補強層の軸方向外側縁部に対応している。
【００３３】
さらなる好適な実施形態によれば、前記外側ベルト層の軸方向外側縁部は、前記追加補強層の軸方向外側縁部に対応している。
【００３４】
さらなる好適な実施形態によれば、前記外側ベルト層の補強要素は、前記タイヤの赤道面に対して傾斜している。
【００３５】
さらなる好適な実施形態によれば、前記外側ベルト層の補強要素は、前記第１のベルト層の補強要素と同じ方向に傾斜している。
【００３６】
さらなる好適な実施形態によれば、前記外側ベルト層の補強要素は、前記第２のベルト層の補強要素と同じ方向に傾斜している。
【００３７】
前記外側ベルト層は、トレッド溝に挟み込まれる可能性がありベルト層、さらにはカーカスプライにも損傷を与え得る石または砂利からの保護層として作用させることができる。
【００３８】
１つの好適な実施形態によれば、前記ベルト構造は、さらに、前記第２のベルト層に対して径方向外側に配置された追加ベルト層（以下、「第３のベルト層」ともいう）を含み、前記第３のベルト層には、互いに平行に配列されるとともに前記タイヤの赤道面に対して傾斜した補強要素が設けられている。好ましくは、前記補強要素は、前記タイヤの赤道面に対して前記第２のベルト層の補強要素とは反対の方向に傾斜している。前記第３のベルト層により、使用中のタイヤの荷重負担能力が向上するだけでなく、ベルト構造の構造的完全性が向上する。
【００３９】
さらなる好適な実施形態によれば、前記第３のベルト層は、前記第２のベルト層と直接接触するように位置決めされている。
【００４０】
さらなる好適な実施形態によれば、前記第３のベルト層の軸方向外側縁部は、前記第２のベルト層の対応する軸方向外側縁部に対して軸方向内方にずらされている。
【００４１】
本説明および後続の請求項において、実施例または別途指定がある場合を除き、量、数、パーセンテージなどを表すすべての数は、すべての事例において語「約」により修飾されているものと解する。また、すべての範囲表現は、開示された最高点および最低点のいずれの組み合わせも含み、本明細書における記載の有無にかかわらず、それらの間のいずれの中間範囲をも含む。
【００４２】
本発明のさらなる特長および利点は、本発明によるタイヤのいくつかの好適な実施形態の後続の説明によりさらに明らかになろう。かかる説明は、非限定的な例を用いて、以下の添付の図１および図２を参照して行われる。
【図面の簡単な説明】
【００４３】
【図１】本発明によるタイヤの一部の断面図である。
【図２】本発明によるタイヤのさらなる実施形態の断面図である。
【発明を実施するための形態】
【００４４】
好ましい実施形態の詳細な説明
簡潔さのため、図１にはタイヤの一部のみを示し、図示しない残りの部分は、タイヤの赤道面（ｘ−ｘ）に対して同一で対称的に構成されているものとする。
【００４５】
タイヤ（１００）は、少なくとも１つのカーカスプライ（１０１）を含み、その対向する横方向縁部は、少なくとも１つのビードコア（１０８）と少なくとも１つのビードフィラー（１０７）とを含むそれぞれのビード構造に結合されている。カーカスプライ（１０１）とビードコア（１０８）との結合は、図１に示すように、前記少なくとも１つのカーカスプライ（１０１）の対向する横方向縁部をビードコア（１０８）の周囲に巻き返して所謂カーカスターンアップ（１１２）を形成することにより達成される。
【００４６】
代替として、従来型のビードコア（１０８）を、同心コイル状に構成されたゴム被覆ワイヤから形成された少なくとも１つの環状インサート（図１では不図示）で置換してもよい（例えば、欧州特許第９２８，６８０号または欧州特許第９２８，７０２号を参照）。この場合、カーカスプライ（１０１）は前記環状インサートの周囲に巻き返されず、その第１のカーカスプライの外側に配置された第２のカーカスプライ（図１では不図示）により連結がなされる。
【００４７】
カーカスプライ（１０１）は、一般に、互いに平行に配列されるとともに架橋エラストマ材料の層で少なくとも部分的に被覆された複数の補強要素を含む。これらの補強要素は、通常、特に重荷重車両用タイヤの場合、金属合金（例えば、銅／亜鉛、亜鉛／マンガン、亜鉛／モリブデン／コバルトの合金等）で被覆され撚り合わせられた鋼製ワイヤで構成される。異なる種類のタイヤについては、織物繊維（例えば、レーヨン、ナイロン、またはポリエチレンテレフタレート等）を使用してもよい。
【００４８】
カーカスプライ（１０１）は、通常、ラジアルタイプである、すなわち、周方向に対して実質的に直交方向に配列された補強要素を組み込んでいる。ビードコア（１０８）は、タイヤ（１００）の内側周縁部に沿って画定され、車両ホイールの一部を形成するリム（図１では不図示）にタイヤを係合させるビード（１１１）に囲まれている。各カーカスターンアップ（１１２）により画定される空間には、通常は架橋エラストマ材料製のビードフィラー（１０７）と、ビードコア（１０８）とが含まれる。
【００４９】
カーカスターンアップ（１１２）に対して径方向外側には、通常、耐摩耗ストリップ（１０９）が配置される。
【００５０】
ビードコア（１０８）およびビードフィラー（１０７）の周囲には、通常、「フリッパ」として知られる補強層（１１０）が巻かれ、それらを少なくとも部分的に包み込んでいる。
【００５１】
カーカスプライ（１０１）の円周に沿って、ベルト構造（１０５）が配置される。図１の特定の実施形態において、ベルト構造（１０５）は以下を含む。
−前記少なくとも１つのカーカスプライ（１０１）に対して径方向外側に位置決めされた側部補強層（１０５ｅ）；
−前記側部補強層（１０５ｅ）に対して径方向外側に位置決めされた第１のベルト層（１０５ａ）；
−前記第１のベルト層（１０５ａ）に対して径方向外側に位置決めされた追加補強層（１０５ｄ）；
−前記追加補強層（１０５ｄ）に対して径方向外側に位置決めされた第２のベルト層（１０５ｂ）；
−前記第２のベルト層（１０５ｂ）に対して径方向外側に位置決めされた外側ベルト層（１０５ｃ）。
【００５２】
通常、前記第１のベルト層（１０５ａ）および前記第２のベルト層（１０５ｂ）には、複数の補強要素（典型的には金属コード）が組み込まれており、前記補強要素は、各層においては互いに平行であるとともに隣接する層に対しては交差し、タイヤの赤道面（ｘ−ｘ）に対して、好ましくは対称的に、１０°〜４０°、好ましくは１２°〜３０°の角度で傾斜し、架橋エラストマ材料で被覆されている。好ましくは、前記補強要素は、コードに対して垂直方向に、前記２つのベルト層（１０５ａ）および（１０５ｂ）上で測定して、３０コード／ｄｍ〜８０コード／ｄｍ、好ましくは４０コード／ｄｍ〜６５コード／ｄｍの打込数（end counts）を有する。
【００５３】
図１の特定の実施形態において、前記第１のベルト層（１０５ａ）の軸方向外側縁部は、前記第２のベルト層（１０５ｂ）の対応する軸方向外側縁部に対して、軸方向内方にずらされている。代替として、前記第１のベルト層（１０５ａ）の軸方向外側縁部は：
−前記第２のベルト層（１０５ｂ）の対応する軸方向外側縁部に対して軸方向外方にずらされていてもよく（図２に図示）；または
−前記第２のベルト層（１０５ｂ）の軸方向外側縁部に対応していてもよく（図１では不図示）；または
−より幅の広い方のベルト層の軸方向外側縁部に対応していてもよい（図１では不図示）。
【００５４】
前記側部補強層（１０５ｅ）には、通常、３％〜１０％、好ましくは３．５％〜７％の破断伸長値を有する複数の補強要素（典型的には金属コード）が組み込まれており、前記補強要素は、実質的に周方向に配向されることでタイヤの赤道面（ｘ−ｘ）に対して数度の角度（例えば、０°〜５°の角度）を形成し、架橋エラストマ材料で被覆されている。好ましくは、前記補強要素は、コードに対して垂直方向に、前記対の側部補強層（１０５ｅ）上で測定して、３０コード／ｄｍ〜８０コード／ｄｍ、好ましくは４０コード／ｄｍ〜６０コード／ｄｍの打込数を有する。
【００５５】
図１の特定の実施形態において、前記側部補強層（１０５ｅ）は、前記少なくとも１つのカーカスプライ（１０１）と直接接触するように位置決めされている。
【００５６】
図１の特定の実施形態において、前記側部補強層（１０５ｅ）の軸方向外側縁部は、前記第１のベルト層（１０５ａ）の対応する軸方向外側縁部に対して、軸方向内方にずらされている。代替として、前記側部補強層（１０５ｅ）の軸方向外側縁部は：
−前記第１のベルト層（１０５ａ）の対応する軸方向外側縁部に対して軸方向外方にずらされていてもよく（図１では不図示）；または
−前記第１のベルト層（１０５ａ）の軸方向外側縁部に対応していてもよく（図１では不図示）；または
−より幅の広い方のベルト層の軸方向外側縁部に対応していてもよい（図１では不図示）。
【００５７】
前記側部補強層（１０５ｅ）は、１つ以上の補強コードを含む少なくとも１つの連続する伸長要素を前記カーカスプライ（１０１）上で螺旋状に巻くことにより得ることができる。
【００５８】
前記追加補強層（１０５ｄ）には、通常、３％〜１０％、好ましくは３．５％〜７％の破断伸長値を有する複数の補強要素（典型的には金属コード）が組み込まれており、前記補強要素は、実質的に周方向に配向されることでタイヤの赤道面（ｘ−ｘ）に対して数度の角度（例えば、０°〜５°の角度）を形成し、架橋エラストマ材料で被覆されている。好ましくは、前記補強要素は、コードに対して垂直方向に、前記追加補強層（１０５ｄ）上で測定して、３０コード／ｄｍ〜８０コード／ｄｍ、好ましくは４０コード／ｄｍ〜６０コード／ｄｍの打込数を有する。
【００５９】
図１の特定の実施形態において、前記追加補強層（１０５ｄ）は、前記第１のベルト層（１０５ａ）および前記第２のベルト層（１０５ｂ）の両方と直接接触するように位置決めされている。
【００６０】
図１の特定の実施形態において、前記追加補強層（１０５ｄ）の軸方向外側縁部は、前記側部補強層（１０５ｅ）の軸方向外側縁部に対応している。代替として、前記追加補強層（１０５ｄ）の軸方向外側縁部は：
−前記第１のベルト層（１０５ａ）の対応する軸方向外側縁部に対して軸方向外方にずらされていてもよく（図１では不図示）；または
−前記第１のベルト層（１０５ａ）の軸方向外側縁部に対応していてもよく（図１では不図示）；または
−より幅の広い方のベルト層の軸方向外側縁部に対応していてもよい（図１では不図示）。
【００６１】
前記追加補強層（１０５ｄ）は、１つ以上の補強コードを含む少なくとも１つの連続する伸長要素を前記第１のベルト層（１０５ａ）上で螺旋状に巻くことにより得ることができる。
【００６２】
図１に示すように、前記追加補強層（１０５ｄ）は、前記第１のベルト層（１０５ａ）の展開面（the surface of development）に実質的に対応する面にわたり延在する。代替として、前記追加補強層（１０５ｄ）は、前記第１のベルト層（１０５ａ）の展開の少なくとも一部分（例えば、前記第１のベルト層（１０５ａ）の両側の側部）のみに沿って延在してもよい。
【００６３】
前記側部補強層（１０５ｅ）および前記追加補強層（１０５ｄ）の両方の補強要素は、少なくとも１つの予備形成された基本金属ワイヤを含んでもよい。好ましくは、前記予備形成された基本金属ワイヤは、１つの平面に予備形成される（preformed in one plane）。
【００６４】
好ましくは、前記基本金属ワイヤは、その長手方向の延在に沿って鋭角の縁部および／または不連続な曲率が実質的に存在しない波形構成を呈するように予備形成される。前記鋭角の縁部がなければ基本金属ワイヤの破断荷重が増加して好ましいため、前記特長は特に有益である。
【００６５】
実質的に正弦波状の起伏を予備形成するのが特に好ましい。好ましくは、前記正弦波状の起伏は２．５ｍｍ〜３０ｍｍ、より好ましくは５ｍｍ〜２５ｍｍの波長を有する。好ましくは、前記正弦波状の起伏は１ｍｍ〜５ｍｍの波振幅を有する。
【００６６】
代替の実施形態において、基本金属ワイヤは、平面に予備形成されるのではなく、例えば螺旋状に予備形成される。
【００６７】
前記予備成形された基本金属ワイヤを得るために、当該技術において知られるいずれの方法も使用可能である。例えば、米国特許第５，５８１，９９０号に記載のタイプの歯車装置、または国際公開第ＷＯ００／３９３８５号パンフレットに記載の装置を使用可能である。
【００６８】
前記外側ベルト層（１０５ｃ）は、通常、複数の補強要素（典型的には金属コード）を含み、前記補強要素は、互いに平行に配列され、タイヤの赤道面（ｘ−ｘ）に対して１０°〜７０°、好ましくは１２°〜４０°の角度だけ傾斜し、架橋エラストマ材料で被覆されている。好ましくは、前記補強要素は、コードに対して垂直方向に、前記外側ベルト層（１０５ｃ）上で測定して、３０コード／ｄｍ〜７５コード／ｄｍ、好ましくは４０コード／ｄｍ〜７０コード／ｄｍの打込数を有する。好ましくは、前記補強要素は、上で開示した少なくとも１つの予備成形された基本金属ワイヤを含んでもよい。前記外側ベルト層（１０５ｃ）は、トレッド溝（１０６ｂ）に挟み込まれる可能性がありベルト層（１０５ａ）、（１０５ｂ）、（１０５ｄ）、および（１０５ｅ）、さらにはカーカスプライ（１０１）にも損傷を与え得る石または砂利からの保護層として作用する。
【００６９】
図１の特定の実施形態において、前記外側ベルト層（１０５ｃ）の軸方向外側縁部は、前記第２のベルト層（１０５ｂ）の対応する軸方向外側縁部に対して、軸方向内方にずらされている。代替として、前記外側ベルト層（１０５ｃ）の軸方向外側縁部は：
−前記第２のベルト層（１０５ｂ）の対応する軸方向外側縁部に対して軸方向外方にずらされていてもよく（図１では不図示）；または
−前記第２のベルト層（１０５ｂ）の軸方向外側縁部に対応していてもよく（図１では不図示）；
−より幅の広い方のベルト層の軸方向外側縁部に対応していてもよい（図１では不図示）。
【００７０】
図１の特定の実施形態において、ベルト構造（１０５）の軸方向幅は、タイヤ（１００）の回転軸心に対して平行なその縁部の間で測定した、第２のベルト層（１０５ｂ）の軸方向幅（Ｌ４）に対応している。好ましくは、ベルト構造（１０５）の最大幅は、タイヤの断面幅の９０％に等しい。
【００７１】
本説明および後続の請求項において、「断面幅」との用語は、タイヤの軸心に対して平行なタイヤの側壁の外側の間の最大直線距離をいう。前記「断面幅」は、ＥＴＲＴＯ標準により決定することができる。
【００７２】
図１の特定の実施形態において、前記第１のベルト層（１０５ａ）は、その軸方向外側縁部が前記第２のベルト層（１０５ｂ）の対応する軸方向外側縁部に対して所定の距離だけ軸方向内方にずらされるように、前記第２のベルト層（１０５ｂ）の軸方向幅（Ｌ４）よりも小さい軸方向幅（Ｌ３）を有する。通常、前記所定の距離は２ｍｍ〜８０ｍｍ、好ましくは５ｍｍ〜６０ｍｍである。
【００７３】
図１の特定の実施形態において、前記追加補強層（１０５ｄ）は、その軸方向外側縁部が前記第１のベルト層（１０５ａ）および前記第２のベルト層（１０５ｂ）の両方の対応する軸方向外側縁部に対して所定の距離だけ軸方向内方にずらされるように、第１のベルト層（１０５ａ）の軸方向幅（Ｌ３）および前記第２のベルト層（１０５ｂ）の軸方向幅（Ｌ４）の両方よりも小さい軸方向幅（Ｌ２）を有する。通常、前記所定の距離は、最も下のベルト層［図１の特定の実施形態では、第１のベルト層（１０５ａ）］の軸方向外側縁部に対して、２ｍｍ〜３０ｍｍ、好ましくは５ｍｍ〜１５ｍｍである。
【００７４】
図１の特定の実施形態において、前記側部補強層（１０５ｅ）の軸方向外側縁部は、前記第１のベルト層（１０５ａ）の軸方向外側縁部に対して、所定の距離だけ軸方向内方にずらされている。通常、前記所定の距離は２ｍｍ〜３０ｍｍ、好ましくは５ｍｍ〜１５ｍｍである。
【００７５】
図１の特定の実施形態において、前記外側ベルト層（１０５ｃ）は、その軸方向外側縁部が前記第２のベルト層（１０５ｂ）の軸方向外側縁部に対して軸方向内方にずらされるように、前記第２のベルト層（１０５ｂ）の軸方向幅（Ｌ４）よりも小さい軸方向幅（Ｌ１）を有する。好ましくは、前記外側ベルト層（１０５ｃ）は、前記側部補強層（１０５ｅ）の少なくとも３％、好ましくは１０％〜９５％の部分を覆う。
【００７６】
図１の特定の実施形態において、バットレス領域（buttress area）、すなわちトレッドバンド（１０６）の横方向縁部が側壁（１０３）に接続されている領域には、架橋エラストマ材料を含むインサート（１０４）が配置されている。通常、インサート（１０４）は、カーカスプライ（１０１）、ベルト構造（１０５）、および側壁（１０３）の間に配置される。
【００７７】
前記側部補強層（１０５ｅ）の各々の横方向内側縁部には、架橋エラストマ材料製の追加インサート（１０４ａ）が配置され、カーカスプライ（１０１）と第１のベルト層（１０５ａ）との間に配置されている。
【００７８】
代替として、架橋エラストマ材料を含み、各々が前記タイヤの赤道面に対して実質的に対称的に配列された少なくとも２つのインサートが、前記第１のベルト層（１０５ａ）と前記追加補強層（１０５ｄ）との間に配置され、各インサートは、前記第１のベルト層（１０５ａ）および前記追加補強層（１０５ｄ）の軸方向外側縁部に対応して配置される（図１では不図示）。
【００７９】
代替として、架橋エラストマ材料を含み、各々が前記タイヤの赤道面に対して実質的に対称的に配列された少なくとも２つのインサートが、前記追加補強層（１０５ｄ）と前記第２のベルト層（１０５ｂ）との間に配置され、各インサートは、前記追加補強層（１０５ｄ）および前記第２のベルト層（１０５ｂ）の軸方向外側縁部に対応して配置される（図１では不図示）。
【００８０】
ベルト構造（１０５）に対して径方向外側には、横方向縁部が側壁（１０３）に接続されたトレッドバンド（１０６）が周方向に配置されている。トレッドバンド（１０６）は、地面と接触するように設計された転がり面（１０６ａ）を外側に有する。転がり面（１０６ａ）には、一般に、この面（１０６ａ）にわたり分布する様々な形状およびサイズの複数のブロックを含むトレッドパターンを画定するように横断方向ノッチ（図１では不図示）により接続された周方向溝（１０６ｂ）が設けられている。
【００８１】
カーカスプライ（１０１）の外側には、側壁（１０３）が配置され、この側壁は、軸方向外側においてビード（１１１）からトレッドバンド（１０６）の縁部まで延在している。
【００８２】
チューブレスタイヤの場合は、カーカスプライ（１０１）に対して内側に、タイヤを膨張させる空気に対して必要な不透過性を提供する一般にライナとして知られるゴム層（１０２）を設けてもよい。
【００８３】
図２は、図１と同じタイヤ（１００）の一部の断面を示すが、第１のベルト層（１０５ａ）の軸方向外側縁部が第２のベルト層（１０５ｂ）の軸方向外側縁部に対して軸方向外側にずらされている、という点のみが異なっている。
【００８４】
本発明によるタイヤの製造方法は、当該技術において知られる手法および装置で実行することができ、前記方法は、グリーンタイヤを製作するステップと、その後、グリーンタイヤをモールド成形および加硫するステップとを含む。
【００８５】
以下、いくつかの例示的実施形態により本発明をさらに説明するが、かかる実施形態は、純粋に例示を目的とするものであって本発明に何らの限定も与えるものではない。
【００８６】
実施例１
３１５／６０Ｒ２２．５のサイズを有するタイヤ（タイヤＡ）を、図１の実施形態により製造した。
【００８７】
３１５／６０Ｒ２２．５のサイズを有するが、追加補強層（１０５ｄ）が存在しない点のみが異なる比較タイヤ（タイヤＢ）を、図１の実施形態により製造した。
【００８８】
タイヤＡおよびタイヤＢに屋外試験を行った。
【００８９】
屋外試験
タイヤＡおよびタイヤＢに直進性試験を行った。
【００９０】
試験は、異なる表面（例えば、平坦な規則的面および波状面）を有する直線道路上で８０ｋｍ／ｈの速度で行った。例えば、直線経路を保つために必要な操舵修正（行った場合）、道路の上方に突出する隆起を乗り越えるタイヤの能力、操舵輪の剛性、横方向安定性、乗り心地を、運転者が評価した。
【００９１】
タイヤは、車両Scania144/530に装着した。タイヤは、標準的なリムに装着し、公称動作圧（例えば８バール）まで膨張させた。
【００９２】
試験運転者は、タイヤ挙動を判定し、上記試験中のタイヤ性能に応じて採点した。試験運転者によるタイヤ制御性についての得点を表１にまとめる。前記テストの結果は、試験運転者が点数制で表現した主観的意見を表す評価スケールにより表現している。次の表１に再現した値は、いくつかの試験セッション（例えば、５〜６回の試験）において何人かの試験運転者により与えられた値の平均値を表す。値のスケールは最低の４から最大の９までであることに留意されたい。
【００９３】
【表１】
2010530831.tif 000003
【００９４】
表１に示す結果は、本発明によるタイヤ（タイヤＡ）が、比較タイヤ（タイヤＢ）よりも良好な挙動を有することを示し、特に直進性および横方向安定性に関して性能が向上したことを示している。
【図１】
2010530831.tif 000004
【図２】
2010530831.tif 000005
【国際調査報告】
2010530831.tif 000006
2010530831.tif 000007
2010530831.tif 000008